(57)【特許請求の範囲】
【請求項１】
上部壁面にシートを布設するシート布設装置において、
シートを巻いたシートローラを載置し、上下に移動可能なシート保持部と、
シート保持部を上下に移動するリフト装置と、
シートローラを回転可能に載置するローラ載置台とを備え、
シートローラから解かれたシートをシート保持部で保持し、シートが巻かれているシートローラをローラ載置台に載置し、シート保持部を上昇してシートを天井付近に位置させることを特徴とする、
シート布設装置。
【請求項２】
上部壁面にシートを布設するシート布設装置において、
シートをメガネ巻きにした一対のシートローラを載置し、上下に移動可能なシート保持部と、
シート保持部を上下に移動するリフト装置と、
シートローラを回転可能に載置する一対のローラ載置台とを備え、
シートローラから解かれたシートをシート保持部で保持し、シートが巻かれているシートローラをローラ載置台に載置し、シート保持部を上昇してシートを天井付近に位置させることを特徴とする、
シート布設装置。
【請求項３】
側壁にシートを布設するシート布設装置において、
側壁に配置されたレール上を移動可能な車輪と、
車輪を回転可能に保持する係止部と、
係止部から吊り下げられ壁面に沿って配置される吊材と、
吊材の複数箇所に配置される複数のステップとを備えていることを特徴とする、  シート布設装置。
【請求項４】
側壁にシートを布設するシート布設装置において、
側壁に配置されたレール上を移動可能な一対の車輪と、
車輪を回転可能に保持する一対の係止部と、
係止部から吊り下げられ壁面に沿って配置される一対の吊材と、
吊材の複数箇所に梯子状に配置される複数のステップとを備えていることを特徴とする、
シート布設装置。
【発明の詳細な説明】
【０００１】
【発明の属する技術分野】
本発明は、シートを布設する装置に関するものである。
【０００２】
【従来の技術】
従来、天井や壁面に防水シートｂを取り付ける際、図６のような防水シート布設台車ａを使用する。作業者が２人１組になり、防水シート布設台車ａ上に乗って、人力で防水シートｂを持ち上げながら張り付け作業を行っている。
【０００３】
しかし、従来の方法では、次のような問題点がある。
＜イ＞作業者が少なくとも２人必要であり、人力でシートを持ち上げるために、多大な労力を必要としていた。
＜ロ＞近年、工事の多様化に伴い、設計シート厚が増大しており、重量が増えて、持ち上げるのに多大の労力を必要とするようになった。
＜ハ＞シート張足場台車は、上部が階段状になっており、シートを持ち上げ、また持ち上げた状態で移動する際、足元の注意がおろさかになり、安全上問題があった。
【０００４】
【発明が解決しようとする課題】
本発明は、シートを容易に取り付け得る装置を提供することにある。
【０００５】
【課題を解決するための手段】
本発明は、上部壁面にシートを布設するシート布設装置において、シートを巻いたシートローラを載置し、上下に移動可能なシート保持部と、シート保持部を上下に移動するリフト装置と、シートローラを回転可能に載置するローラ載置台とを備え、シートローラから解かれたシートをシート保持部で保持し、シートが巻かれているシートローラをローラ載置台に載置し、シート保持部を上昇してシートを天井付近に位置させることを特徴とする、シート布設装置、又は、
上部壁面にシートを布設するシート布設装置において、シートをメガネ巻きにした一対のシートローラを載置し、上下に移動可能なシート保持部と、シート保持部を上下に移動するリフト装置と、シートローラを回転可能に載置する一対のローラ載置台とを備え、シートローラから解かれたシートをシート保持部で保持し、シートが巻かれているシートローラをローラ載置台に載置し、シート保持部を上昇してシートを天井付近に位置させることを特徴とする、シート布設装置、又は、
側壁にシートを布設するシート布設装置において、側壁に配置されたレール上を移動可能な車輪と、車輪を回転可能に保持する係止部と、係止部から吊り下げられ壁面に沿って配置される吊材と、吊材の複数箇所に配置される複数のステップとを備えていることを特徴とする、シート布設装置、又は、
側壁にシートを布設するシート布設装置において、側壁に配置されたレール上を移動可能な一対の車輪と、車輪を回転可能に保持する一対の係止部と、係止部から吊り下げられ壁面に沿って配置される一対の吊材と、吊材の複数箇所に梯子状に配置される複数のステップとを備えていることを特徴とする、シート布設装置にある。
【０００６】
【発明の実施の形態】
以下図面を用いて本発明の上部にシートを布設する実施の形態を説明する。
【０００７】
＜イ＞上部シート布設装置
トンネルなどの上方に壁面を有する構築物の表面にシートを布設する上部シート布設装置１０の例を図１に示す。シート布設装置１０は、例えば、トンネル１の天井を含む吹付コンクリート２の壁面にシート２０を取り付けるために、シート２０を水平に拡げて保持し、上下に移動可能な保持部１１と、保持部１１を上下に移動するリフト装置１２と、シート２０を拡げやすくするようにメガネ巻きにされた一対のシートローラ２１と、シートローラ２１を回転可能に載置するローラ載置台１４と、これらを支持する支持台１３とを備えている。シート２０は、例えば防水シートであり、厚さ２ｍｍの防水部と厚さ３ｍｍの緩衝材からなっている。
【０００８】
＜ロ＞保持部
保持部１１は、図１に示すように、シート２０をメガネ巻きにした一対のシートローラ２１を中央部に載置でき、シート２０が布設壁面に沿う形状にすると良い。例えばトンネル１の場合、トンネル１の曲面に沿うアーチ状に形成する。
【０００９】
一対のシートローラ２１が安定して載置できるために、中央部に窪み部１５を有し、窪みの部１５の中心部に凸状の突起を形成し、一対のシートローラ２１をその間に入るように配置する。窪み部１５に載置されたシートローラ２１は、保持部１１のアーチ状の上面に沿って回転してシート２０をローラ２１から解き離し、保持部１１の上面に張る。
【００１０】
＜ハ＞ローラ載置台
ローラ載置台１４は、保持部１１にシート２０を張った後のシートローラ２１を載置するもので、シートローラ２１を回転可能に保持するものである。ローラ載置台１４は、例えば、保持部１１の端の下部付近に位置させ、張り終わったシートローラ２１を載置しやすくし、シート２０を保持部１１と共に引き上げる際に、シートローラ２１を回転しやすいように樋状に形成する。
【００１１】
＜ニ＞リフト装置
リフト装置１２は、保持部１１を上下に移動するものであり、リフト装置１２を作動してシート２０が天井部に当接すると良い。リフト装置１２は、例えば油圧ジャッキを使用することができる。
【００１２】
＜ホ＞支持台
支持台１３は、リフト装置１２やローラ載置台１４を支持しており、必要に応じて、天井付近の作業を行い易いように階段や作業台を備えている。また、移動可能に構成され、例えば、レール上を回転する車輪、又は駆動力を有する車輪などを備えている。
【００１３】
以下図面を用いて本発明の側部にシートを布設する実施の形態を説明する。
【００１４】
＜イ＞シート布設装置
側壁にシート２０を布設するシート布設装置３０は、例えば、貯蔵池３の側面を含む吹付コンクリート２の壁面にシート２０を取り付けるもので、シート２０の取り付け作業用足場となるステップ３４と、ステップ３４を保持する吊材３３と、吊材３３を壁面に移動可能に係止する係止部３１とを備えている。
【００１５】
＜ロ＞係止部
係止部３１は、壁面に取り付けられた移動用レール５に係止される。移動用レール５は、例えば壁面から突出した支持工ブラケット４で保持される。係止部３１は、例えば駆動可能な車輪を備え、移動用レール５上を移動する。
【００１６】
＜ハ＞吊材とステップ
吊材３３は、壁面に沿うように係止部３１に吊り下げられる。一対の吊材３３を平行に配置し、その間にステップ３４を取り付け、梯子状にすると安定性を増すことができる。
【００１７】
以下、上部シート布設装置の使用方法を説明する。
【００１８】
＜イ＞シートローラを保持部に配置
保持部１１を下げた状態にして、保持部の窪み部１５にメガネ巻きしたシートローラ２１を図１のように配置する。
【００１９】
＜ロ＞保持部上面へのシートの張設
保持部の窪み部１５から保持部上面へシートローラ２１を図２のように回転し、シート２０を保持部上面に張る。張り終わったシートローラ２１は、ローラ載置台１４に載置される。一対のシートローラ２１をローラ載置台１４に載置すると、保持部１１の上部全面にシート２０を張設することができる。
【００２０】
＜ハ＞天井壁面へのシートの取付
リフト装置１２を上方に伸ばし、保持部１１を上昇させてシート２０を天井に当接する。その際、シートローラ２１はローラ載置台１４内で回転してシート２０が引き出される。天井に当接したシート２０は、例えば、図３のように釘打ち銃や溶着器などにより吹付コンクリート２に取り付けられる。
【００２１】
以下、側部シート布設装置の使用方法を説明する。
【００２２】
＜イ＞シート布設装置の取付
係止部３１の車輪３２を図４及び図５のように移動用レール５上に載置する。作業者がステップ３４を足場にして、釘打ち銃や溶着器などによりシート２０を吹付コンクリート２に取り付ける。
【００２３】
＜ロ＞シート布設装置の移動
側部シート布設装置３０を移動用レール５上で壁面に沿って移動し、壁面全体を容易に作業することができる。
【００２４】
【発明の効果】
本発明は、次のような効果を得ることができる。
＜イ＞天井や側面の不便な作業場所でも作業労力を軽減することができ、安全性も向上できる。
＜ロ＞荷重の重いシート材料でも容易に布設することができる。
【図面の簡単な説明】
【図１】天井にシートを布設するシート布設装置図
【図２】シートを保持部上面に張っているシート布設装置図
【図３】シートを天井に布設しているシート布設装置図
【図４】側壁にシートを布設するシート布設装置の側面図
【図５】側壁にシートを布設するシート布設装置の正面図
【図６】従来のシートを天井に布設しているシート布設装置図
【符号の説明】
１・・・・トンネル
１０・・・上部シート布設装置
１１・・・保持部
１２・・・リフト装置
１３・・・支持台
１４・・・ローラ載置台
１５・・・窪み部
２・・・・吹付コンクリート
２０・・・シート
２１・・・シートローラ
３・・・・貯蔵池
３０・・・側部シート布設装置
３１・・・係止部
３２・・・車輪
３３・・・吊材
３４・・・ステップ
４・・・・支持ブラケット
５・・・・移動用レール
【図１】
0003843300.tif 000002
【図２】
0003843300.tif 000003
【図３】
0003843300.tif 000004
【図４】
0003843300.tif 000005
【図５】
0003843300.tif 000006
【図６】
0003843300.tif 000007